(57)【特許請求の範囲】
【請求項１】
縦方向に偏平な形状をなす側壁部上端から後方に水平上縁が連設され、該水平上縁後端から下向突縁が連設され、又該側壁部の下端から後方に水平下縁が連設され、該水平下縁後端から上向突縁が連設され、且つ該側壁部の中間位置には後方に向けたコ字状断面屈曲条が形成された設置壁面に固着される長尺の硬質材料製骨格部材に対して、該骨格部材の該下向突縁、該水平上縁、該側壁部、該水平下縁、該上向突縁の各外面を被覆する被覆主体部の上下末端縁に、該骨格部材の該下向突縁および該上向突縁に対してそれぞれ係止される上側鉤状縁および下側鉤状縁が連設された長尺の軟質材料製被覆部材が被覆止着される壁面設置用ガードレールにおいて、該骨格部材の該水平下縁を挟む個所に位置する該被覆主体部は、その内面側において両側に段差面を形成するように切り欠かれた薄肉部とされ、該骨格部材に該被覆部材が被覆止着された際に、該側壁部と該薄肉部との間および該上向突縁と該薄肉部との間には該段差面によって生じる空隙部が介在されることを特徴とする壁面設置用ガードレール。
【請求項２】
前記設置壁面には、支持用ブラケットが固着され、該支持用ブラケットの先端部に対して、前記骨格部材に於けるコ字状断面屈曲条の底板部が止着されることを特徴とする請求項１記載の壁面設置用ガードレール。
【請求項３】
前記骨格部材に於けるコ字状断面屈曲条の後部には、前記支持用ブラケットに於ける先端部の所定個所に一時的に載置される載置突条が突設されていることを特徴とする請求項２記載の壁面設置用ガードレール。
【発明の詳細な説明】
【０００１】
【発明の属する技術分野】
本発明は、特に病院、老人施設等の建物通路壁面やエレベータ等の壁面に設置され、ストレッチャ等の屋内車輌の衝突に対して壁面を保護し、且つ手摺としても役立つ壁面設置用ガードレールに関する。
【０００２】
【従来の技術】
この種の壁面設置用ガードレールの従来例として、実公平５−３６２７号公報に記載されている例が挙げられるが、当該公報記載のものは、骨格部材および被覆部材共複雑な構造を有し、その製造コストを安価にすることができない上に、現場に於ける設置作業も被覆部材が複数に分割されているために余分の手間を有するものであったので、構造が簡単で製造コストを安価にすることが可能であり、現場に於ける設置作業の作業性が更に向上した製品の開発が要望されていた。
【０００３】
【発明が解決しようとする課題】
本発明が解決しようとする課題は、骨格部材外面に軟質の被覆部材を被覆係止する作業が容易であり、外面に位置する被覆部材のみの交換が可能であると共に、被覆部材は骨格部材に対して安定した取付状態を維持することができる手摺兼用の壁面設置用ガードレールを提供することにある。
【０００４】
【課題を解決するための手段】
前記課題を解決するために、本発明の壁面設置用ガードレールは、縦方向に偏平な形状をなす側壁部上端から後方に水平上縁が連設され、該水平上縁後端から下向突縁が連設され、又該側壁部の下端から後方に水平下縁が連設され、該水平下縁後端から上向突縁が連設され、且つ該側壁部の中間位置には後方に向けたコ字状断面屈曲条が形成された設置壁面に固着される長尺の硬質材料製骨格部材に対して、該骨格部材の該下向突縁、該水平上縁、該側壁部、該水平下縁、該上向突縁の各外面を被覆する被覆主体部の上下末端縁に、該骨格部材の該下向突縁および該上向突縁に対してそれぞれ係止される上側鉤状縁および下側鉤状縁が連設された長尺の軟質材料製被覆部材が被覆止着される建物用ガードレールにおいて、該骨格部材の該水平下縁を挟む個所に位置する該被覆主体部は、その内面側において両側に段差面を形成するように切り欠かれた薄肉部とされ、該骨格部材に該被覆部材が被覆止着された際に、該側壁部と該薄肉部との間および該上向突縁と該薄肉部との間には該段差面によって生じる空隙部が介在されることを主な特徴とする。
【０００５】
また手摺として把持される被覆部材が設置壁面から間隔をおいて安定して設置されるように、所定の設置壁面に支持用ブラケットが固着され、該支持用ブラケットの先端部に対して、前記骨格部材に於けるコ字状断面屈曲条の底板部が止着されることを特徴とする。
【０００６】
更に、支持用ブラケットに対して骨格部材を能率良く取付けるために、前記骨格部材に於けるコ字状断面屈曲条の後部には、前記支持用ブラケットに於ける先端部の所定個所に一時的に載置される載置突条が突設されていることを特徴とする。
【０００７】
【発明の実施の形態】
本発明の実施の形態について添付図面を参照して説明する。
図１において、符号Ａは、本発明のガードレールが設置される建物の設置壁面を示す。本発明のガードレールは、特に病院や老人施設等の建物通路壁面やエレベータの壁面のように、ストレッチャ等の屋内車輌が衝突する虞がある壁面に設置して当該壁面を保護する機能と共に、壁面に設置した手摺としての機能を有するものである。符号１は支持用ブラケットであり、図１、図３および図４にその詳細が示されるように、支持用ブラケット１は、固着側端付近に固定用ボルト挿通用のスリーブ３を備えた底板４が一体に形成された硬質合成樹脂製の筒状外殻２内に、短尺のリップ付溝形材５が、そのウエブに穿設された固定用透孔６を底板４のスリーブ３に合致させ、そのリップ７，７を外方に露出させ、筒状外殻２内面に突設された補強リブ８にその周囲を支持させた状態で挿入されて形成されている。支持用ブラケット１は、固定用ボルト９を固定用透孔６からスリーブ３を挿通して設置壁面Ａに埋設されたアンカースクリュー１０に対して締付けることにより設置壁面Ａに固着される。支持用ブラケット１は同一高に於ける設置壁面Ａ上に所定間隔をおいて所定数固着され、リップ７，７が露出した先端部に後述する骨格部材１１が止着される。
【０００８】
硬質合成樹脂或は金属等の硬質材料で形成された長尺の骨格部材１１には、その縦方向に偏平な形状をなす側壁部１２上端から後方に水平上縁１３が連接されると共に水平上縁１３後端から下向突縁１４が連接され、又側壁部１２下端から後方に水平下縁１５が連接されると共に水平下縁１５後端から上向突縁１６が連接されている。更に側壁部１２の中間位置には後方に向けた２条のコ字状断面屈曲条１７，１７が形成されている。コ字状断面屈曲条１７，１７の底板部１８，１８を、支持用ブラケット１に於けるリップ付溝形材５のリップ７，７に当接させ、当接個所にタッピンねじ１９を螺着することによって、骨格部材１１が支持用ブラケット１に止着される。コ字状断面屈曲条１７の後部には載置突条２０が突設されており、骨格部材１１を支持用ブラケット１に固着する際に、列設した支持用ブラケット１の先端部に於ける筒状外殻２の切欠下縁２ａ上に骨格部材１１の載置突条２０を一時的に載置させて、列設した支持用ブラケット１に沿って骨格部材１１を配置させ、タッピンねじ１９の螺着が容易に行われるようにされている。
【０００９】
骨格部材１１には、軟質合成樹脂等の軟質材料製で長尺の被覆部材２１が被覆される。被覆部材２１には、骨格部材１１の下向突縁１４、水平上縁１３、側壁部１２、水平下縁１５、上向突縁１６の各外面を被覆する被覆主体部２２の上下末端縁に、骨格部材１１の下向突縁１４に係止される上側鉤状縁２３および上向突縁１６に係止される下側鉤状縁２４が形成されている。被覆部材２１の外面には、木目模様等を表示した稍硬質のスキン層を形成することができる。骨格部材１１の水平下縁１５を挟む個所に位置する被覆主体部２２は、図２に詳細に示されるように、その内面側において両側に段差面２５，２５を形成するように切り欠かれた薄肉部２６とされている。したがって骨格部材１１に被覆部材２１が被覆止着された状態では、側壁部１２と薄肉部２６との間および上向突縁１６と薄肉部２６との間には段差面２５，２５によって生じる空隙部２７，２７が介在されることになる。
【００１０】
骨格部材１１に被覆部材２１を被覆するには、最初に骨格部材１１の下向突縁１４に被覆部材２１の上側鉤状縁２３を係止し、次いで被覆部材２１の被覆主体部２２を骨格部材１１の外面上を密着するように沿わせて骨格部材１１の上向突縁１６に被覆部材２１の下側鉤状縁２４を係止させる。その際に、空隙部２７，２７が存在することによって、骨格部材１１の側壁部１２と水平下縁１５との境界位置、および骨格部材１１の下側鉤状縁２４との境界位置に於ける薄肉部２６を一時的に変形伸長させることが可能であるので、被覆部材２１の下側を引張ることにより、伸長状態で骨格部材１１の上向突縁１６に被覆部材２１の下側鉤状縁２４を係止させれば、係止操作を容易に行うことができる。係止操作の後に被覆部材２１の引張り状態を解除すれば、被覆部材２１の下側鉤状縁２４が骨格部材１１の上向突縁１６に係止された状態で境界位置の変形は解除され、伸長部分は元の位置に戻るので、下側鉤状縁２４の上向突縁１６に対する係止状態は十分に維持され、設置後に脱落するようなことはない。
【００１１】
本発明の壁面設置用ガードレールは、前記のようにその骨格部材１１に下向突縁１４付の水平上縁１３、上向突縁１６付の水平下縁１５およびコ字状断面屈曲条１７が形成され、骨格部材１１は補強されているので、偏平な形状を有するにも拘らず手摺兼ガードレールの骨格部材としての強度を充分に確保することができる。また被覆部材２１の骨格部材１１に対する被覆作業は、被覆部材２１に形成された段差面２５を有する薄肉部２６によって骨格部材１１と被覆部材２１との間に形成される空隙部２７を利用して行うことにより、特別な工具を使用することなく容易に行うことが可能であるから設置作業の作業性は良好であり、骨格部材１１に止着された被覆部材２１は安定した取付状態が維持されるので、不測の脱落等を防止できる。
【００１２】
更に手摺として特に把持が行われるガードレールの上側の部分は、骨格部材１１の側壁部１２、水平上縁１３、下向突縁１４上を軟質材料製の被覆部材２１が被覆することにより、手摺として把持しやすく且つ骨格部材１１に触れることのない断面形状を現出し、手摺の機能を充分に発揮でき、把持部分は支持用ブラケット１によって設置壁面Ａから適当間隔をあけて設置されるので、不自然な手摺の把持状態を生ずるようなことはない。また骨格部材１１に対して被覆部材２１のみを脱着することができるから、衝撃を柔軟に受けとめると共に手摺として使用する手触りのよい軟質材料製の被覆部材２１を使用した結果、屋内車輌等の衝突により被覆部材２１が破損するような事態が生じても、比較的簡単に補修をすることができる。
【００１３】
ガードレールは隅部を含む壁面に設置されるから、壁面隅部に達するガードレール末端の対応が必要となるが、図５および図６には、本発明のガードレールの末端部に於ける軟質合成樹脂製の末端部キャップ２８が示されている。末端部キャップ２８は骨格部材１１および被覆部材２１の末端に於いて、被覆部材２１の上側鉤状縁２３および下側鉤状縁２４の付け根部を結ぶ線を輪郭線として包含する被覆部材２１の外面輪郭断面形状を有する末端板部２９と、末端板部２９の外縁に添って延びる重合被覆筒部３０より構成されている。骨格部材１１も被覆部材２１も存在しない重合被覆筒部３０の裏面側は厚肉部３１とされ、厚肉部３１から骨格部材１１のコ字状断面屈曲条１７を挟む挟持突片３２が突設されている。ガードレールの末端に於いて、末端部キャップ２８の重合被覆筒部３０の内面等に接着剤を塗布した上で末端部における被覆部材２１上に被着すれば、末端部キャップ２８の装着を完了する。
【００１４】
図７および図８には、出隅部に装着される軟質合成樹脂製の隅部キャップ３３が示されている。隅部キャップ３３は、出隅部に於ける双方のガードレールの末端に対して、それら双方の骨格部材１１，１１および被覆部材２１，２１の末端部を被覆するように、一方の被覆部材２１上を被覆する重合被覆板部３４の外形が出隅部を直角に曲って他方の被覆部材２１上を被覆する重合被覆板部３４の外形に連続するような形状を有する。したがって隅部を形成する隅部柱状部３５は、双方の重合被覆板部３４の外形と連続する外形を有する厚肉の外壁部３６を有する。重合被覆板部３４は、被覆部材２１の上側鉤状縁２３の外側から被覆主体部２２上を薄肉部２６後部迄を被覆するものであり、隅部柱状部３５の外壁部３６両端に形成された末端部当接面３７の位置から延長している。隅部柱状部３５には、外部からの応力に対抗するために縦方向リブ３８および横方向リブ３９が形成されている。
【００１５】
出隅部の交差する両ガードレールの末端部に於ける被覆部材２１，２１に隅部キャップ３３の双方の重合被覆板部３４，３４内面に接着剤を塗布した上で末端部における被覆部材２１，２１上に被着すれば、隅部キャップ３３の装着を完了する。尚、ガードレールの出隅部に於ける曲率が大きい場合には、隅部キャップ３３を使用せずに、一方の骨格部材１１の末端から他方の骨格部材１１の末端に掛けて連続する被覆部材２１を装着することにより、隅部の仕上げ処理を行うことができる。
【００１６】
【発明の効果】
本発明は、次のような効果を奏する。
Ａ．骨格部材に下向突縁付の水平上縁、上向突縁付の水平下縁およびコ字状断面屈曲条が形成され、骨格部材は補強されているので、偏平な形状を有するにも拘らず手摺兼ガードレールの骨格部材としての強度を充分に確保することができる。
Ｂ．被覆部材の骨格部材に対する被覆作業は、被覆部材に形成された段差面を有する薄肉部によって骨格部材と被覆部材との間に形成される空隙部を利用して行うことにより、特別な工具を使用することなく容易に行うことが可能であるから設置作業の作業性は良好であり、また骨格部材に止着された被覆部材は安定した取付状態が維持されるので、不測の脱落等を防止できる。
【００１７】
Ｃ．手摺として特に把持が行われるガードレールの上側の部分は、骨格部材の側壁部、水平上縁、下向突縁上を軟質材料製の被覆部材が被覆することにより、手摺として把持しやすく且つ骨格部材に触れることのない断面形状を現出し、手摺の機能を十分に発揮できる。
Ｄ．把持部分は、支持用ブラケットによって設置壁面から適当間隔をあけて設置されるので、不自然な手摺の把持状態を生ずるようなことはない。
Ｅ．骨格部材に対して被覆部材のみを脱着することができるから、衝撃を柔軟に受けとめると共に手摺として使用する手触りのよい軟質材料製の被覆部材を使用した結果、屋内車輌等の衝突により被覆部材が破損するような事態が生じても、比較的簡単に補修をすることができる。
【図面の簡単な説明】
【図１】本発明の壁面設置用ガードレールを示す設置壁面と垂直な断面図である。
【図２】壁面設置用ガードレールの下端付近を示す拡大断面図である。
【図３】取付用ブラケットを示す一部欠截斜視図である。
【図４】取付用ブラケットを示す設置壁面と平行面の断面図である。
【図５】末端部分に被着された末端部キャップを示す断面図である。
【図６】末端部キャップの被着状態を示す上面図である。
【図７】隅部キャップの側面図である。
【図８】隅部キャップの下面図である。
【符号の説明】
１  支持用ブラケット
１１  骨格部材
１２  側壁部
１３  水平上縁
１４  下向突縁
１５  水平下縁
１６  上向突縁
１７  コ字状断面屈曲条
１８  底板部
２０  載置突条
２１  被覆部材
２２  被覆主体部
２３  上側鉤状縁
２４  下側鉤状縁
２５  段差面
２６  薄肉部
２７  空隙部
Ａ  設置壁面
【図１】
0003596998.tif 000002
【図２】
0003596998.tif 000003
【図３】
0003596998.tif 000004
【図４】
0003596998.tif 000005
【図５】
0003596998.tif 000006
【図６】
0003596998.tif 000007
【図７】
0003596998.tif 000008
【図８】
0003596998.tif 000009